(57)【要約】【課題】釣糸巻き取り時の安定化が図れるとともに、釣糸に対するダメージを軽減することが可能な釣糸案内体を有する魚釣用リールを提供する。【解決手段】魚釣用リールは、スプールから繰り出される釣糸を挿通させると共に、左右側板間で往復移動する釣糸案内体６０を備えたレベルワインド装置を有する。釣糸案内体６０は、釣糸巻き取り状態で釣糸をスプールに案内する左右方向に幅狭の釣糸案内部６７と、釣糸放出状態で釣糸の放出抵抗を軽減する左右方向に幅広の釣糸挿通部６８と、釣糸が繰り出された際、幅狭の釣糸案内部６７から幅広の釣糸挿通部６８への釣糸の抜けを規制する糸抜け防止規制部７０と、を有する。【選択図】図１４
2014000045.tif 000002
【特許請求の範囲】
【請求項１】
リール本体の左右側板間に回転自在に支持されたスプールと、
前記スプールから繰り出される釣糸を挿通させると共に、前記左右側板間で往復移動する釣糸案内体を備えたレベルワインド装置と、
を有する魚釣用リールにおいて、
前記釣糸案内体は、釣糸巻き取り状態で釣糸をスプールに案内する左右方向に幅狭の釣糸案内部と、釣糸放出状態で釣糸の放出抵抗を軽減する左右方向に幅広の釣糸挿通部と、釣糸が繰り出された際、前記幅狭の釣糸案内部から前記幅広の釣糸挿通部への釣糸の抜けを規制する糸抜け防止規制部と、を有することを特徴とする魚釣用リール。
【請求項２】
前記糸抜け防止規制部は、前記釣糸案内体のスプール側に面する端面に形成されていることを特徴とする請求項１に記載の魚釣用リール。
【請求項３】
前記糸抜け防止規制部は、段差からなる断面で形成されていることを特徴とする請求項２に記載の魚釣用リール。
【発明の詳細な説明】
【技術分野】
【０００１】
本発明は、スプール前方の側板間に、スプールに釣糸を平行に巻回案内する釣糸案内体を備えた魚釣用リールに関する。
【背景技術】
【０００２】
従来、両軸受型タイプの魚釣用リールには、左右側板間に回転可能に支持されたスプールに対して釣糸を均等に巻回するように、レベルワインド装置が配設されている。このレベルワインド装置は、一方の側板側に回転可能に配設されたハンドルの巻き取り操作に連動して、スプール前方で左右に往復動する釣糸案内体を備えており、前記釣糸案内に釣糸が挿通されることで、スプールに対して釣糸を平行に巻回することが可能となっている。
【０００３】
ところで、上記した釣糸案内体は、例えば、仕掛けをキャスティングするとき、釣糸が接触して抵抗となってしまい、仕掛けの飛距離を低下させてしまうという問題がある。このような問題を解決するために、例えば、特許文献１には、釣糸案内体の釣糸案内部の形状を、上部では左右方向に横長形状にして釣糸放出時における釣糸挿通部とし、下部では中央を幅狭の釣糸案内用の溝部として釣糸巻き取り時の案内部とした構成が開示されている。そして、釣糸案内体の前後方向の近傍に、クラッチの切換操作に連動して上下方向に移動可能なピラーを配設し、釣糸放出時では、ピラーを上方に移動させて釣糸を釣糸挿通部に位置させて糸抵抗を軽減し、釣糸巻き取り状態では、ピラーを下方に移動させて釣糸を幅狭の溝部に案内しスプールに巻回される糸巻状態を向上するようにしている。
【先行技術文献】
【特許文献】
【０００４】
【特許文献１】特開２０１２−７０６８３号
【発明の概要】
【発明が解決しようとする課題】
【０００５】
ところで、実釣時において、ドラグ力が強く設定されている状況下で釣糸が引き出される場合、スプールに巻回されている釣糸の放出位置と釣糸案内体の位置が、左右に大きくずれていることがある。すなわち、釣糸案内体は、釣糸放出時では、スプールの回転抵抗を軽減するために左右方向に移動しないようになっており、巻き取り、キャスティングの繰り返しで釣糸案内体が左右方向の一方の端部で停止した状態にあり、かつ、スプールから放出される釣糸が他方の端部に位置して釣糸案内体とスプールに巻回される釣糸が左右方向に位置がずれていると、高負荷で釣糸が引き出された際、釣糸は、釣糸案内体の内面（幅狭の溝部の内面）を擦る状態で引き出されるようになる。このとき、釣糸は、幅狭の溝部の内面に案内されながら上方に移動し、さらに、前記ピラーを押し上げるようにして幅狭の溝部から抜けてしまうことがある。なお、このような釣糸案内体と釣糸の左右方向の位置ずれはスプール回転に連動して左右に往復動する釣糸案内体においても、スプール交換（バックラッシュ解除作業、糸種変更に伴うスプール交換）や糸切れ対応した時にも生じ易い。
【０００６】
そして、このように釣糸が抜けた状態（横長形状の釣糸挿通部に位置した状態）で釣糸を巻き取り操作すると、巻き始めの釣糸の状態が安定せず、部分的に重なった状態でスプールに巻き取られてしまい、糸巻状態が悪くなってしまう。この結果、次の釣糸放出時において、偏って巻かれた部分が放出抵抗となってしまい、飛距離が低下するという問題が生じる。
【０００７】
また、上記のように、幅狭の溝部から上方に抜け出ようとする釣糸には、ピラーによる押えが強く作用して屈曲状態になるため、釣糸へのダメージが強くなり、糸寿命を低下させてしまうと共に、ピラー近傍の釣糸案内体に損傷を生じさせてしまう可能性もある。
【０００８】
本発明は、上記した問題に着目してなされたものであり、幅狭の溝部と、幅広の釣糸挿通部を備えた釣糸案内体を有する魚釣用リールにおいて、釣糸巻き取り時の安定化が図れるとともに、釣糸に対するダメージを軽減することが可能な釣糸案内体を有する魚釣用リールを提供することを目的とする。
【課題を解決するための手段】
【０００９】
上記した目的を達成するために、本発明に係る魚釣用リールは、リール本体の左右側板間に回転自在に支持されたスプールと、前記スプールから繰り出される釣糸を挿通させると共に、前記左右側板間で往復移動する釣糸案内体を備えたレベルワインド装置と、を有しており、前記釣糸案内体は、釣糸巻き取り状態で釣糸をスプールに案内する左右方向に幅狭の釣糸案内部と、釣糸放出状態で釣糸の放出抵抗を軽減する左右方向に幅広の釣糸挿通部と、釣糸が繰り出された際、前記幅狭の釣糸案内部から前記幅広の釣糸挿通部への釣糸の抜けを規制する糸抜け防止規制部と、を有することを特徴とする。
【００１０】
上記した構成の魚釣用リールによれば、ドラグ力が強く設定されている状況下で釣糸が引き出される場合、スプールに巻回されている釣糸の放出位置と釣糸案内体の位置が、左右に大きくずれていても、糸抜け防止規制部によって、釣糸は、釣糸案内体の幅狭の釣糸案内部（溝部）から幅広の釣糸挿通部へ移動すること（抜けること）が防止される。すなわち、高負荷で釣糸が引き出されても、釣糸は幅広の釣糸挿通部へ移動することはないため、釣糸を巻き取るときには、釣糸は、幅狭の釣糸案内部を介してスプールに巻回されるようになり、巻き始め時に偏った状態で巻回されることはない。また、釣糸は、幅広の釣糸挿通部に抜けることが防止されるため、釣糸に対してピラー等による押えが強く作用することがなくなり、釣糸に対してダメージを与えたり、釣糸案内体に損傷を生じさせるようなこともない。
【発明の効果】
【００１１】
本発明によれば、幅狭の溝部と、幅広の釣糸挿通部を備えた釣糸案内体を有する魚釣用リールにおいて、釣糸が引き出された際、釣糸が幅狭の溝部から抜けることが防止されるため、釣糸巻き取り時の安定化が図れるとともに、釣糸に対するダメージを軽減することが可能となる。
【図面の簡単な説明】
【００１２】
【図１】本発明に係る魚釣用リールの第１の実施形態を示し、釣糸案内体部分を露出させた平面図。
【図２】図１に示す魚釣用リールにおいて、クラッチ機構の動力伝達部分の構成を示す側面図（クラッチＯＮ状態）。
【図３】図１に示す魚釣用リールにおいて、クラッチ機構の動力伝達部分の構成を示す側面図（クラッチＯＦＦ状態）。
【図４】クラッチプレートと釣糸案内体を回動させる回動プレートとの連結部分の構造を示す断面図。
【図５】図１に示す魚釣用リールのＡ−Ａ線に沿った断面図であり、釣糸案内体が釣糸巻き取り状態（クラッチＯＮ状態）にあるときを示す図。
【図６】図１に示す魚釣用リールのＡ−Ａ線に沿った断面図であり、釣糸案内体が釣糸放出状態（クラッチＯＦＦ状態）にあるときを示す図。
【図７】釣糸案内体を拡大して示す斜視図（クラッチＯＮ状態）。
【図８】図７に示す釣糸案内体の正面図。
【図９】釣糸案内体を拡大して示す斜視図（クラッチＯＦＦ状態）。
【図１０】図９に示す釣糸案内体の正面図。
【図１１】スプールの釣糸放出位置と釣糸案内体がずれた関係のときの釣糸の状態を示す斜視図。
【図１２】図１１の状態を示す平面図。
【図１３】スプールの釣糸放出位置と釣糸案内体がずれた状態を示す斜視図。
【図１４】図１３のＢ−Ｂ線に沿った断面図。
【図１５】本発明に係る魚釣用リールの第２の実施形態を示す平面図。
【図１６】図１５に示す魚釣用リールの正面図。
【図１７】スプールの釣糸放出位置と釣糸案内体がずれた関係のときの釣糸の状態を示す斜視図。
【図１８】図１７の状態を示す平面図。
【図１９】スプールの釣糸放出位置と釣糸案内体がずれた状態を示す斜視図。
【図２０】図１９のＣ−Ｃ線に沿った断面図。
【発明を実施するための形態】
【００１３】
以下、図面を参照しながら本発明に係る魚釣用リールについて説明する。
図１から図３は、本発明に係る魚釣用リールの第１の実施形態を示す図であり、図１は、釣糸案内体部分を露出させた平面図、図２は、クラッチ機構の動力伝達部分の構成を示す側面図（クラッチＯＮ状態）、そして、図３は、クラッチ機構の動力伝達部分の構成を示す側面図（クラッチＯＦＦ状態）である。なお、以下において、前後方向、左右方向、及び上下方向は、図１および図２で示す方向で定義する。
【００１４】
本実施形態に係る魚釣用リールは、左右のフレーム２ａ，２ｂを左右カバー３ａ，３ｂで覆った左右側板１Ａ，１Ｂを備えたリール本体１を有している。前記リール本体には、左右側板間に位置し、図示しない釣竿に装着されるリール脚１Ｃが一体形成されている。また、前記左右のフレーム２ａ，２ｂ間には、スプール軸５が軸受を介して回転可能に支持されており、スプール軸５には、釣糸が巻回されるスプール５Ａが一体的に固定されている。さらに、前記左右側板間には、スプール５Ａに対して上方側に、指を載置可能なサムレスト１Ｄが設けられている。
【００１５】
本実施形態では、前記スプール５Ａを回転駆動するハンドル８を右側板１Ｂ側に設置しており、右フレーム２ｂと右カバー３ｂとの間の空間には、ハンドル８の回転駆動力をスプール軸５に伝達する公知の動力伝達機構１０が配設されている。また、右フレーム２ｂと右カバー３ｂとの間には、スプール軸５を動力伝達状態と動力遮断状態に切り換える公知のクラッチ機構２０が配設されており、このクラッチ機構２０は、スプール７の後方側の左右側板間に配設されたクラッチ切り換え操作部材（以下、操作部材と称する）２１を押し下げ操作することで、クラッチＯＮ状態（動力伝達状態であり釣糸巻き取り状態）からＯＦＦ状態（動力遮断状態であり、釣糸放出状態）に切り換えるようになっている。なお、クラッチＯＦＦ状態からクラッチＯＮ状態への復帰は、後述する自動復帰機構３０によってハンドル８を回転操作することで行うことが可能となっている。
【００１６】
また、左右の側板１Ａ，１Ｂ間には、スプール５Ａの釣糸繰出し方向側に、レベルワインド装置５０が配設されている。このレベルワインド装置５０は、前記ハンドル８を回転操作することで、釣糸を挿通する釣糸案内体６０が左右に往復移動するよう構成されており、釣糸の巻き取り操作に伴って、スプール５Ａに対して釣糸を均等に巻回する機能を有する。
【００１７】
前記駆動力伝達機構１０は、ハンドル８が固定されたハンドル軸８ａにドラグ機構１５と関連して回転可能に装着された駆動歯車１１と、この駆動歯車１１に噛合するピニオン１２とを備えている。前記ピニオン１２は、スプール軸５と同軸上に設置されており、ピニオン軸（スプール軸であっても良い）１２ａに沿って軸方向に移動可能となっている。また、ピニオン１２の外周には、円周溝１２ｂが形成されており、この円周溝１２ｂに、後述するクラッチ機構２０のヨーク２２が係合して、ピニオン１２を軸方向に移動させるようになっている。すなわち、ピニオン１２が軸方向に移動することで、スプール軸５との間で継脱がなされ、動力伝達状態（クラッチＯＮ）／動力遮断状態（クラッチＯＦＦ）に切り換えられるようになっている。
【００１８】
前記ドラグ機構１５は、公知のように、ハンドル軸８ａに駆動歯車１１を回転可能に装着し、ここに摩擦部材（図示せず）を当接させて、ハンドル軸８ａに装着された操作部材１５Ａを回転することで、所望のドラグ力を発生させる。すなわち、釣糸が繰り出された際に、スプールの回転に、所望の制動力を付与するようになっている。
【００１９】
前記クラッチ機構２０は、右フレーム２ｂに対して回動可能に支持され、振り分けバネ２３によって、図２に示す動力伝達状態（クラッチＯＮ状態）と、図３に示す動力遮断状態（クラッチＯＦＦ状態）に振り分け保持されるクラッチプレート２５を備えている。このクラッチプレート２５は、右フレーム２ｂに上下方向に形成された連結孔２ｄを介して前記操作部材２１と連結されており、クラッチプレート２５に形成された長孔２５ａに、右フレーム２ｂに突出するように設けられたピン２ｅが挿入されて、その回動駆動が案内されるようになっている。
【００２０】
前記クラッチプレート２５の表面には、前記ピニオン１２の円周溝１２ａに係合したヨーク２２と係合可能な一対のカム面２６が形成されている。前記ヨーク２２の先端側は、右フレーム２ｂに突設された支持ピン２７によって保持されており、ヨーク２２は、各支持ピンに配設されたバネ部材（図示せず）によって常時、クラッチプレート２５側に付勢された状態となっている。なお、図２は、ヨーク２２がバネ部材によってクラッチプレート２５側に付勢された状態を示しており、このとき、ピニオン１２はスプール軸の端部に形成されている係合部に嵌合してクラッチＯＮ状態となっている。
【００２１】
前記クラッチプレート２５は、操作部材２１が、図２の矢印に示すように押下げ操作されると反時計回り方向に回動され、前記カム面２６、及びヨーク２２を介して、ピニオン１２をスプール軸の端部に形成されている係合部から離脱させ、図３に示すように、クラッチＯＦＦ状態に切り換える。なお、この状態は、前記振り分けバネ２３によって保持される。
【００２２】
また、前記クラッチプレート２５には、クラッチをＯＦＦ状態からＯＮ状態にする自動復帰機構３０が設けられている。この自動復帰機構３０は、クラッチプレートに一体的に設けられるキック部材３１と、前記ハンドル軸８ａに回り止め固定されるラチェット３２とを備えており、前記キック部材３１は、クラッチＯＮからクラッチＯＦＦに切り換えると、図３に示すように、ラチェット３２の回転軌跡内に侵入するように配置、構成されている。このため、クラッチＯＦＦ状態において、前記ハンドル８を巻き取り操作すると、ラチェット３２の回転により、キック部材３１はキックされ、自動的にクラッチプレート２５をクラッチＯＮ状態の位置に復帰させて、振り分けバネ２３のバネ力で保持する。なお、クラッチの復帰は、前記操作部材２１を押し上げ操作しても行うことが可能である。
【００２３】
前記スプール５Ａの前方側の左右側板間には、前記レベルワインド装置５０が配置されている。以下、レベルワインド装置５０の構成について、図４から図１０を併せて参照しながら説明する。なお、これらの図において、図４は、クラッチプレートと釣糸案内体を回動させる回動プレートとの連結部分の構造を示す断面図、図５は、図１に示す魚釣用リールのＡ−Ａ線に沿った断面図であり、釣糸案内体が釣糸巻き取り状態（クラッチＯＮ状態）にあるときを示す図、図６は、釣糸案内体が釣糸放出状態（クラッチＯＦＦ状態）にあるときを示す図、図７は、釣糸案内体を拡大して示す斜視図（クラッチＯＮ状態）、図８は、図７に示す釣糸案内体の正面図、図９は、釣糸案内体を拡大して示す斜視図（クラッチＯＦＦ状態）、そして、図１０は、図９に示す釣糸案内体の正面図である。
【００２４】
前記レベルワインド装置５０は、スプール５Ａに巻回された釣糸Ｓを挿通させる釣糸案内体６０を備えており、この釣糸案内体６０は、軸受５２（図４参照）を介して左右側板間に回転可能に支持され、前記駆動力伝達機構１０を介して回転可能に駆動される螺軸（ウォームシャフト）５１によって、左右往復駆動されるよう構成されている。すなわち、前記螺軸５１の右フレーム側には、前記ハンドル軸８ａに装着された駆動歯車１１と隣接して配設されてハンドル軸８ａと一体的に回転する連結ギア（図示せず）と噛合する入力ギア５３が設けられており、前記螺軸５１は、連結ギア及び入力ギア５３を介してハンドル８の回転駆動と同期して回転駆動されるようになっている。
【００２５】
前記螺軸５１は、左右側板間に回動可能に保持される管状体（筒体）５５内に収容された状態となっており、前記管状体５５の外面には、軸方向に延出する長孔５５ａが形成され、前記螺軸５１の表面に形成された螺旋溝５１ａを軸方向に沿って部分的に露出させている。また、前記釣糸Ｓを挿通させる釣糸案内体６０は、釣糸挿通部６０Ａと保持部６０Ｂを一体的に備えており、前記保持部６０Ｂが前記管状体５５を囲繞するように、配置、形成されている。
【００２６】
前記保持部６０Ｂは、その内部に、前記長孔５５ａを介して螺旋溝５１ａと係合する摺動子６１を保持している。この摺動子６１は、袋ナット６２によって、前記保持部６０Ｂに対して固定される。また、前記釣糸案内体６０は、螺軸５１の回転によって、螺旋溝５１ａと摺動子６１との係合関係によって、軸方向に沿って移動しつつ、管状体５５の回りを回転しないように、回り止めされている。本実施形態の構成では、前記管状体５５の外周に、軸方向に沿って延出する回り止め部５５ｂを形成しており、回り止め部５５ｂに対して、保持部６０Ｂの係合部６４を係合させることで、回り止めを果たしている。具体的には、回り止め部５５ｂは、管状体５５の外周に、軸方向に延出する突起（図４，図５に示すように、１８０°間隔で一対設けられている）として構成されており、係合部６４は、そのような突起に入り込む凹部として構成されている。
【００２７】
上記のように、螺軸５１を収容する管状体５５に回り止め部５５ｂを一体形成することで、従来のように、釣糸案内体６０を回り止めするガイド軸を配設する必要がなくなり、レベルワインド装置の構造を簡素化することが可能となる。
【００２８】
また、釣糸案内体６０は、前記螺軸５１が回転駆動されると、摺動子６１を介して左右側板間で往復駆動されると共に、本実施形態では、上述したクラッチ機構２０のＯＮ／ＯＦＦに連動して釣糸巻き取り状態と釣糸放出状態との間で切り換えられるように、回動可能に構成されている。この場合、釣糸案内体６０の回動駆動については、前記管状体５５を回動駆動することで成されるようになっている。
【００２９】
ここで、クラッチ機構２０から管状体５５への動力伝達経路に具体的に説明する。
前記クラッチプレート２５には、リール本体の前方側に向けて突出する突片２５ｂが形成されており、その先端には、右フレーム側に向けて突出する係合突起２５ｃが一体形成されている。一方、右フレーム２ｂには、前記螺軸５１が支持される部分に回動プレート５９が保持されており、前記管状体５５は、右フレーム２ｂの内面側において、回動プレート５９と回り止め固定されている。すなわち、回動プレート５９には、径方向に突出する凸部５９ａが形成されており、この凸部５９ａに、管状体５５の端部に形成された凹部５５ｃが嵌合することで、両者は、右フレーム２ｂの内面側で固定された状態（一体回動可能な状態）となっている。
【００３０】
前記回動プレート５９は、前記螺軸５１を回転可能に支持する軸受５２の外輪と右フレーム２ｂとの間で回動可能に支持されており、右フレーム２ｂの外面側に沿って、前記クラッチプレート２５の突片２５ｂと係合する連結片５９ｂが形成されている。そして、連結片５９ｂには、長孔５９ｃが形成されており、この長孔５９ｃに、前記クラッチプレート２５の突片２５ｂの係合突起２５ｃが遊挿されることで、回動プレート５９は、図２及び図３に示すように、クラッチプレート２５の回動に伴って螺軸５１の軸芯を中心に回動されるようになっている。したがって、回動プレート５９は、振り分けバネ２３によって、釣糸巻き取り状態と釣糸放出状態との間で振り分け保持されるクラッチプレート２５と共に、２つの位置で切り換えられるようになっている。
【００３１】
前記釣糸案内体６０は、回動プレート５９を介して、管状体５５が回動駆動されることで、スプールの前方において、前後方向に回動駆動される。ここで、釣糸案内体６０の釣糸挿通部６０Ａの構成について、具体的に説明する。
【００３２】
釣糸挿通部６０Ａは、スプール５Ａからの釣糸Ｓを挿通させる部分であり、ＳＵＳ、チタン等の釣糸抵抗が少ない材料によるフレーム体６０Ｆとして構成されており、図７から図１０に示すように、前記保持部６０Ｂと共に一体形成されている。具体的には、左右方向に幅狭（細溝状）となった釣糸案内部６７と、その釣糸案内部６７の上方側で、略対称となるように左右方向に拡がる幅広の釣糸挿通部（開口部）６８とを備えている。この場合、釣糸挿通部６８は、図１０に示すように、釣糸放出状態となったときの正面視（挿通される釣糸Ｓに沿って前方から見た正面視）で、左右方向に拡がる略楕円形状となるように形成されており、その両サイド壁は、釣糸挿通部６８の略中央の下部に形成される釣糸案内部６７に向けて傾斜して釣糸Ｓを案内する傾斜案内面６８ａとなっている。
【００３３】
前記釣糸挿通部６８を有するフレーム体６０Ｆは、釣糸放出状態で側面視した際、前後方向に対して傾斜した状態（後方側に向けて次第に立ち上がる形状）となっており、釣糸挿通部６８を規定する上壁６８ｂは、釣糸放出状態では、前後方向に沿った状態となって（図６及び図９参照）、可能な限り広い開口を確保できるようになっている。したがって、釣糸挿通部６８を規定する前後方向に沿った上壁６８ｂの後端縁６９は、釣糸放出状態から釣糸巻き取り状態に回動した際、釣糸挿通部６８内に挿通されている釣糸Ｓに対して、上側から当接できる位置関係となっており、釣糸Ｓを規制する規制部としての機能を有する（以下、後端縁を規制部６９と称する）。
【００３４】
前記規制部６９は、フレーム体６０Ｆとして一体形成される部分であり、釣糸案内体６０が前記クラッチ機構２０に連動して、釣糸放出状態から釣糸巻き取り状態に回動した状態で正面視した際（図８に示すように、釣糸Ｓに沿って前方から見た際）、前記釣糸案内部６７の上下長さＬの範囲内となるような配置関係となっていれば良い。すなわち、このような配置関係となっていれば、釣糸案内体６０が、釣糸放出状態から釣糸巻き取り状態に回動すると、釣糸挿通部６８のいずれかの部分に位置する釣糸Ｓは、規制部６９によって押し付けられ、傾斜案内面６８ａに沿って確実に釣糸案内部６７に案内することが可能となる。また、このような位置関係となっていれば、釣糸巻き取り状態で、釣糸Ｓを確実に釣糸案内部６７から離脱しないようにすることができる。
【００３５】
なお、規制部６９については、本実施形態のように、釣糸案内体６０を回動駆動するのであれば、回動軸芯（螺軸５１の中心）からの距離や管状体５５の回動する角度に応じて下方にシフトさせる距離を適宜調整することができるため、本実施形態のように、平坦状になったフレーム体６０Ｆの上壁６８ｂの後端縁で形成しなくても良い。すなわち、規制部については、釣糸挿通部６０Ａを構成するフレーム体６０Ｆのいずれかの部分を屈曲形成するなど、その形状については適宜変形することが可能である。
【００３６】
前記左右方向に幅狭となった釣糸案内部６７は、上下方向に延出しており、そこに入り込んで挿通される釣糸Ｓの左右方向のブレを防止して、スプール５Ａに対して、安定して釣糸を平行巻きする機能（糸巻状態を向上する機能）を有する。
【００３７】
また、上記した構成において、釣糸案内部６７を規定する両壁６７ａは、図５及び図６に示すように、前記摺動子６１を固定する袋ナット６２の上方を覆うように伸びていることが好ましく、このような構成により、釣糸案内部６７に入り込んでいる釣糸が、前記袋ナット６２の部分で絡むことを効果的に防止することが可能となる。また、釣糸案内部６７の底面６７ｃは、図５に示す釣糸巻き取り状態において、前方に向けて次第に下方向に傾斜する傾斜面となっていることが好ましい。すなわち、このような底面形状にすることにより、スプールから傾斜した状態で繰り出される釣糸との摩擦抵抗の低減が図れるようになる。
【００３８】
また、前記釣糸案内体６０には、釣糸Ｓが繰り出された際、前記幅狭の釣糸案内部６７から前記幅広の釣糸挿通部６８への釣糸の抜けを規制する糸抜け防止規制部７０が形成されている。ここで、糸抜け防止規制部７０について具体的に説明する。
通常、上記したキャスティング用の魚釣用リールでは、特に、釣糸放出時に、スプール５Ａの回転抵抗を軽減するため、釣糸案内体６０を左右に摺動させないようにしている。すなわち、釣糸案内体６０を摺動させると、スプール５Ａの回転に、レベルワインド装置側からの回転負荷が作用して回転性を低下させて飛距離低下の要因となることから、スプールのフリー回転時では、釣糸案内体６０は同期して左右に往復動させないようにしている。
【００３９】
このため、場合によっては、図１１及び図１２に示すように、釣糸案内体６０が左右方向の一方の端部で停止した状態にあり、かつ、スプール５Ａからの釣糸の放出位置が他方の端部に位置していることがある。そして、このような位置関係で、前記ドラグ機構１５のドラグ力を強く設定した状況の下、釣糸Ｓに高負荷の引き出し力が作用すると、釣糸Ｓは、釣糸案内体６０の側面、すなわち、釣糸が入り込んでいる釣糸案内部（幅狭の溝部）６７の両壁６７ａの対向する内面６７ｄを擦る状態で引き出されるようになる。このとき、釣糸Ｓは、図１１の矢印で示すように、内面６７ｄに案内されながら上方に移動し、さらに、前記規制部６９に強く当て付いて（規制部６９を押し上げようとする強い力が作用する）釣糸案内部６７から抜けようとする。そして、実際に、釣糸が前記釣糸挿通部６８に移動してしまい、この状態で釣糸の巻き取り操作を行なうと、スプール５Ａに巻き始めの釣糸の状態が安定しなくなり、部分的に重なった状態でスプールに巻き取られてしまい、糸巻状態が悪くなってしまうこととなる。この結果、次の釣糸放出時において、偏って巻かれた部分が放出抵抗となって飛距離が低下してしまう。
【００４０】
本発明では、図１１及び図１２に示す位置関係で釣糸Ｓに高負荷の引き出し力が作用しても、糸抜け防止規制部７０によって、釣糸Ｓが簡単に幅狭の釣糸案内部６７から抜けて幅広の釣糸挿通部６８に移動しないようにしている。
具体的に、本実施形態の糸抜け防止規制部７０は、図１３及び図１４に示すように、釣糸案内体６０の内、スプール側に面する端面に形成されており、前記傾斜案内面６８ａの下縁６８ａ´のスプール側の縁６８ａ´´に、段差を生じさせることで形成されている。この段差には、図１３、図１４に示すように、スプール側の縁６８ａ´´を頂点とする糸掛け断面７１がスプール側に面する端面に形成されており、釣糸案内体とスプールの釣糸放出位置が図１１及び図１２で示すような関係になっても、糸掛け断面７１によって、ドラグ引き出しにおいて、釣糸Ｓが傾斜案内面６８ａに沿って釣糸挿通部６８に移動しないようにしている。
なお、このような糸抜け防止規制部７０（糸掛け断面７１）は、幅狭の釣糸案内部６７の両壁６７ａに形成されている。
【００４１】
次に、上述したように構成される魚釣用リールの作用、及び効果について説明する。  
図２及び図５に示すクラッチＯＮ状態において、スプール５Ａの後方側に位置する操作部材２１を押し下げ操作すると、前記クラッチ機構２０を構成するクラッチプレート２５は、反時計回りに回動され、振り分けバネ２３によって、図３に示す状態に保持される。このとき、クラッチプレート２５の表面に形成されたカム面２６がヨーク２２を軸方向にシフトさせ、ピニオン１２をスプール軸５から離脱させる（クラッチＯＦＦ状態）。また、この操作によるクラッチプレート２５の回動に伴って、前記回動プレート５９は、螺軸５１の軸芯を中心に回動され、これに回り止めされている管状体５５は、図２（図５）に示す位置から、図３（図６）に示す位置に回動される。
【００４２】
したがって、前記釣糸案内体６０は、管状体５５に保持されていることから、図５（図７，図８）に示す状態から、図６（図９，図１０）に示すように回動される。そして、このように回動された釣糸案内体６０は、スプール５Ａがフリー回転可能な状態（釣糸放出状態）となっており、前記釣糸案内部６７に入り込んでいる釣糸Ｓは、規制部６９による規制が外れ、釣糸挿通部６８に移動する。なお、通常、釣糸放出状態では、スプール５Ａに対する釣糸の巻回量が多いため、規制部６９の規制が外れることで、釣糸は、直ちに釣糸挿通部６８に移動することができる。
【００４３】
この状態で、スプール５Ａはフリー回転可能状態となっており、キャスティング操作等により、釣糸Ｓは放出される。この場合、釣糸案内体６０は、スプール５Ａの前方において、図６、及び図９、図１０に示す状態に回動されており、釣糸挿通部６８は、左右方向に幅広状に形成されていることから、その内面から接触抵抗を受けることが少なくなり、仕掛けの飛距離を低下させるようなことはない。すなわち、釣糸を放出する際に、釣糸案内体６０からの放出抵抗を軽減することが可能となる。
【００４４】
そして、クラッチ機構２０をＯＮ復帰させるべく、ハンドル８を巻き取り操作すると、前記自動復帰機構３０によって、クラッチプレート２５は、図２に示す位置に自動復帰する。このクラッチプレート２５のＯＮ状態の復帰に伴って、管状体５５は、前記回動プレート５９を介して、図２及び図５に示す状態に回動され、釣糸案内体６０は、図５、及び図７，図８に示す位置に切り換えられる。このとき、釣糸挿通部６８のいずれかの部分に位置している釣糸Ｓは、回動する規制部６９が当て付いて押し付けられ、釣糸挿通部６８の傾斜案内面６８ａに沿って確実に中央に位置する釣糸案内部６７に案内される。また、図８に示すように、釣糸巻き取り状態では、釣糸Ｓは、規制部６９によって釣糸案内部６７から離脱することはない。
【００４５】
その後、ハンドル８を巻き取り操作することで、上記したレベルワインド装置５０の螺軸５１は、ハンドル軸８ａに設けられた連結ギア、及びこれに噛合する入力ギア５３を介して回転駆動される。前記螺軸５１が回転駆動されることで、釣糸案内体６０は、螺軸５１の外周面に形成された螺旋溝５１ａと係合する摺動子６１を介して、管状体５５に沿って左右往復動される。この場合、管状体５５の外周には、軸方向に沿って延出する回り止め部５５ｂが形成されているため、釣糸案内体６０は、軸回りに回転することなく、左右に往復駆動される。これにより、釣糸Ｓは、左右方向に幅狭となった釣糸案内部６７によって、スプール５Ａに対して、安定して平行巻きされ、さらには、規制部６９の位置によって、釣糸案内部６７から離脱することもないため、常時、安定した平行巻き状態が確保される。
なお、スプール５Ａに対する釣糸Ｓの巻回量が少ない場合、例えば、釣糸を多量に放出した状態では、釣糸案内部６７に位置する釣糸Ｓは、規制部６９に接触していなくても良い。
【００４６】
また、キャスティングした後でクラッチＯＮにしたとき、スプールに巻回されている釣糸の放出位置と釣糸案内体の位置が左右に大きくずれた状態となっていることがあり、この状態で釣糸が引き出されても、上記した糸抜け防止規制部７０によって、釣糸Ｓは、釣糸挿通部６８へ移動することはない。すなわち、図１２に示すように、釣糸Ｓは、釣糸案内部６７の両壁６７ａの内面６７ｄの後端位置から屈曲することになるが、この屈曲する部分に、糸掛け断面７１（糸抜け防止規制部７０）が存在するため、上方の釣糸挿通部６８へ移動し難くなる。したがって、釣糸Ｓを巻き取る際、釣糸は、幅狭の釣糸案内部６７を介してスプール５Ａに巻回されるようになり、巻き始め時に偏った状態で巻回されることがなく安定した糸巻状態となる。
【００４７】
この結果、次にキャスティングする際、偏った巻き状態に基づく放出抵抗が加わるようなことがなく、放出がスムーズになり、飛距離が低下することはない。また、釣糸Ｓは、糸抜け防止規制部７０によって釣糸挿通部６８に抜けることが防止されるため、釣糸に対して規制部６９からの押えが強く作用することはなく、釣糸に対してダメージを与えたり、釣糸案内体６７に損傷を生じさせるようなこともない。さらに、本実施形態のように、糸抜け防止規制部７０をスプール側の端面に形成したことで、釣糸放出すべくクラッチをＯＦＦにした際、釣糸案内部６７から釣糸挿通部６８への釣糸の抜けが良好となる。
【００４８】
本発明は、上記した形態以外にも、釣糸を押え付ける規制部６９が設けられていない釣糸案内体を備えた魚釣用リールとして構成することが可能である。以下、図１５から図２０を参照して、本発明の第２の実施形態について説明する。
なお、これらの図において、図１５は、魚釣用リールの平面図、図１６は、魚釣用リールの正面図、図１７は、スプールの釣糸放出位置と釣糸案内体がずれた関係のときの釣糸の状態を示す斜視図、図１８は、図１７の状態を示す平面図、図１９は、スプールの釣糸放出位置と釣糸案内体がずれた状態を示す斜視図、そして、図２０は、図１９のＣ−Ｃ線に沿った断面図である。また、以下の説明では、前記実施形態と同様な構成部分については、同一の参照符号を付し、その詳細な説明については省略する。
【００４９】
本実施形態では、左右の側板１Ａ，１Ｂ間のサムレスト１Ｄの下方にシャフト８０を配設しており、クラッチがＯＦＦからＯＮになったとき、シャフト８０によって釣糸Ｓを押え付け、釣糸Ｓを幅広の釣糸挿通部６８から幅狭の釣糸案内部６７に案内するようにしている。このため、シャフト８０は、リール本体に対して、クラッチ機構と連動して上下動するように支持されており、クラッチＯＦＦ状態になったとき上方に移動して、釣糸が釣糸挿通部６８に移動できるようにし、クラッチＯＮ状態になったとき釣糸を押え付けて、釣糸案内部６７に案内するよう構成されている（詳細な駆動機構については省略する）。また、釣糸案内体６０は、前記実施形態のように、回動することはないため、釣糸挿通部６８を規定する前後方向に沿った上壁６８ｂの後端縁６９は、規制部としての機能を備えていない。また、図２０に示すように、釣糸案内体６０の保持部６０Ｂには、貫通孔７４が形成されており、この部分にリール本体の左右側板間に横架されたシャフト（図示せず）が挿通されることで、左右に往復駆動される釣糸案内体６０の回り止めを果たしている。
【００５０】
本実施形態の糸抜け防止規制部７５は、図１９及び図２０に示すように、釣糸案内体６０の内、スプール側に面する端面に形成されており、幅広の釣糸挿通部６８の両側の傾斜案内面６８ａの下縁６８ａ´のスプール側の縁６８ａ´´部分の下側に形成されている。すなわち、幅狭の釣糸案内部６７の両壁６７ａの内面６７ｄに対応したスプール側に面する端面には、図２０に示すように、スプール側の縁６８ａ´´を通る上下方向の垂直面Ｐに対して、釣糸放出側に湾曲状に窪んだ凹部７６により糸掛け断面７７が形成されており、釣糸案内体とスプールの釣糸放出位置が図１７及び図１８で示すような関係になっても、湾曲状に窪んだ凹部７６及び糸掛け断面７７によって、釣糸Ｓが傾斜案内面６８ａに沿って釣糸挿通部６８に移動しないようにしている。
【００５１】
このように、湾曲状に窪んだ凹部７６によって、糸掛け断面７７を形成したことで、釣糸に対して強い負荷が作用しても、釣糸に対する接触抵抗が軽減され、釣糸に対するダメージをより軽減することが可能となる。
【００５２】
以上、本発明の実施形態について説明したが、本発明は、上記した実施形態に限定されることはなく、種々変形することが可能である。
【００５３】
上記した第１の実施形態では、釣糸案内体６０をクラッチ機構２０と連動して回動するように構成したが、クラッチ機構とは連動しなくても良いし、上下動させるなど、回動しない構成であっても良い。また、釣糸案内体６０を回動するに際しては、管状体５５の外周に、軸方向に延出する突起を設けて回り止めしたが、管状体５５に形成される長孔５５ａのエッジ５５ｅによって回り止めするようにしても良い。さらに、上述したリール本体の左右側板間に設けられたサムレスト１Ｄは、釣糸放出時の抵抗軽減のため、無くても良いし、開閉可能に構成されていても良い。
【００５４】
また、上記した第２の実施形態では、釣糸を押え付けるシャフト８０は、リール本体に対して上下動するように構成されていたが、リール本体の上面部で開閉されるパーミングプレートに支持して上下動させるような構成であっても良い。
【００５５】
上述した両実施形態における釣糸案内体６０については、その形状を適宜、変形することが可能である。例えば、釣糸挿通部６８を略三角形状にしたり、略円形状にする等、適宜変形することが可能である。また、釣糸案内体に形成される糸抜け防止規制部７０，７５の形状や配置箇所について適宜変形することができる。例えば、釣糸が引っ掛かるように、凸部によって構成しても良いし、釣糸案内部６７の両壁６７ａの内面６７ｄ部分に形成しても良い。また、釣糸挿通部６０Ａと保持部６０Ｂはそれぞれ別体に形成して一体化しても良い。
【００５６】
また、釣糸案内体６０は、釣糸と接触する部分に、耐摩耗性を有すると共に、摺動抵抗の少ない部材（釣糸接触部材）を取着しておいても良い。このような釣糸接触部材を取着しておくことで、釣糸放出時や釣糸巻き取り時に釣糸が接触しても、切れることを防止でき、かつ接触抵抗を更に軽減することが可能となる。
【符号の説明】
【００５７】
１  リール本体
１Ａ，１Ｂ  左右側板
５  スプール軸
５Ａ  スプール
２０  クラッチ機構
５０  レベルワインド装置
６０  釣糸案内体
６７  釣糸案内部
６８  釣糸挿通部
７０，７５  糸抜け防止規制部
【図１】
2014000045.tif 000003
【図２】
2014000045.tif 000004
【図３】
2014000045.tif 000005
【図４】
2014000045.tif 000006
【図５】
2014000045.tif 000007
【図６】
2014000045.tif 000008
【図７】
2014000045.tif 000009
【図８】
2014000045.tif 000010
【図９】
2014000045.tif 000011
【図１０】
2014000045.tif 000012
【図１１】
2014000045.tif 000013
【図１２】
2014000045.tif 000014
【図１３】
2014000045.tif 000015
【図１４】
2014000045.tif 000016
【図１５】
2014000045.tif 000017
【図１６】
2014000045.tif 000018
【図１７】
2014000045.tif 000019
【図１８】
2014000045.tif 000020
【図１９】
2014000045.tif 000021
【図２０】
2014000045.tif 000022